(57)【要約】【課題】ユーザの意図せぬ誤操作を防止でき、ユーザの利便性を向上できる携帯端末装置を提供する。【解決手段】第１表示部と、第２表示部と、前記第１表示部に表示された表示画面に対する入力を検出する第１検出部と、前記第２表示部に表示された表示画面に対する入力を検出する第２検出部と、所定の休止操作に基づいて、前記第１検出部又は前記第２検出部を通じた入力の受け付けを禁止する制御処理部とを含み、前記制御処理部は、前記第１表示部における入力の受け付けが禁止されている場合において電話の着信を検出すると、通話を開始するための操作対象を含む着信画面を前記第２表示部に表示し、前記第２表示部における入力の受け付けが禁止されている場合において電話の着信を検出すると、前記第１表示部に前記着信画面を表示することを特徴とする。【選択図】  図３
2014045517.tif 000002
【特許請求の範囲】
【請求項１】
第１表示部と、
第２表示部と、
前記第１表示部に表示された表示画面に対する入力を検出する第１検出部と、
前記第２表示部に表示された表示画面に対する入力を検出する第２検出部と、
所定の休止操作に基づいて、前記第１検出部又は前記第２検出部を通じた入力の受け付けを禁止する制御処理部とを含み、
前記制御処理部は、前記第１表示部における入力の受け付けが禁止されている場合において電話の着信を検出すると、通話を開始するための操作対象を含む着信画面を前記第２表示部に表示し、前記第２表示部における入力の受け付けが禁止されている場合において電話の着信を検出すると、前記第１表示部に前記着信画面を表示する、
ことを特徴とする携帯端末装置。
【請求項２】
請求項１に記載の携帯端末装置において、
前記制御処理部は、前記休止操作に基づいて前記第１検出部への入力の受け付けが禁止された場合は、前記第１表示部の輝度を低減させる、
ことを特徴とする携帯端末装置。
【請求項３】
請求項１に記載の携帯端末装置において、
前記制御処理部は、前記第１検出部および前記第２検出部のうち一の検出部を通じた入力により他の検出部を通じた入力の受け付けを禁止し、前記一の検出部を通じた入力により前記他の検出部を通じた入力の受け付けの禁止を解除する、
ことを特徴とする携帯端末装置。
【請求項４】
請求項１ないし３の何れか一項に記載の携帯端末装置において、
前記第１検出部及び前記第２検出部とは別に配され、前記第１検出部及び前記第２検出部を通じた入力の受け付けの禁止を解除する解除操作を行うための操作部を備え、
前記制御処理部は、前記休止操作に基づいて、前記第１検出部及び前記第２検出部を非動作状態に設定するとともに、前記解除操作がなされると、前記第１検出部及び前記第２検出部を非動作状態から動作状態に復帰させる、ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
一般に、携帯電話機においては、液晶パネル等によるディスプレイに操作画面やメール文書、テレビ映像などが表示されるようになっている。ディスプレイが大きいと、一度に多くの情報（文書など）を表示したり、テレビ映像を大きく映し出したりすることができる。しかし、一方で、ディスプレイが大きくなると機器自身のサイズが大きくなってしまい、携帯する際に邪魔になる。
【０００３】
そこで、このような課題に鑑み、常に外部に露出している第１のディスプレイと、携帯時などには機器本体内に収容され、必要に応じて外部に露出される第２のディスプレイとを備え、２つのディスプレイを一体化させた一つの表示面にて画像を表示できるようにした携帯電話機が考えられ得る（たとえば、特許文献１）。
【先行技術文献】
【特許文献】
【０００４】
【特許文献１】特開２００２−４４２０２号公報
【発明の概要】
【発明が解決しようとする課題】
【０００５】
ところで、最近では、ディスプレイ上にタッチパネルが配され、ディスプレイに表示されたアイコンを指などでタッチすることにより、各種アプリケーションが実行される携帯電話機が商品化されている。
【０００６】
上記の２つのディスプレイを備えた携帯電話機においても、各ディスプレイにタッチパネルを配し、タッチパネルを用いた操作入力が行える構成とすることができる。この場合、第１のディスプレイと第２のディスプレイの双方にアイコンが配され、これらアイコンが操作され得る。
【０００７】
しかしながら、このような構成とした場合、一方のディスプレイのタッチパネルを操作しようとした際に、他方のディスプレイのタッチパネルに誤って触れてしまい、誤操作が生じてしまう惧れがある。たとえば、２つのディスプレイが上下に並んでいる場合、上側のディスプレイを操作しようとしたときに、ユーザに近い下側のディスプレイに触れてしまうということが起こりやすい。
【０００８】
本発明は、かかる課題に鑑みてなされたものであり、ユーザの意図せぬ誤操作を防止でき、ユーザの利便性を向上させることができる携帯端末装置を提供することを目的とする。
【課題を解決するための手段】
【０００９】
本発明の携帯端末装置は、第１表示部と、第２表示部と、前記第１表示部に表示された表示画面に対する入力を検出する第１検出部と、前記第２表示部に表示された表示画面に対する入力を検出する第２検出部と、所定の休止操作に基づいて、前記第１検出部又は前記第２検出部を通じた入力の受け付けを禁止する制御処理部とを含み、前記制御処理部は、前記第１表示部における入力の受け付けが禁止されている場合において電話の着信を検
出すると、通話を開始するための操作対象を含む着信画面を前記第２表示部に表示し、前記第２表示部における入力の受け付けが禁止されている場合において電話の着信を検出すると、前記第１表示部に前記着信画面を表示することを特徴とする。
【発明の効果】
【００１０】
本発明によれば、ユーザの意図せぬ誤操作を防止でき、ユーザの利便性を向上させることができる携帯端末装置を提供することができる。
【００１１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１２】
【図１】実施の形態に係る携帯電話機の外観構成を示す図である。
【図２】実施の形態に係る第２キャビネットが閉じた状態から開いた状態へ切替えるための切替え操作について説明するための図である。
【図３】実施の形態に係る携帯電話機の全体構成を示すブロック図である。
【図４】実施の形態に係る第１ディスプレイおよび第２ディスプレイに表示される表示画面の一例を示す図である。
【図５】実施の形態に係る操作入力の受付処理を示すフローチャートである。
【図６】実施の形態に係るスリープモードが設定されたときの第１ディスプレイおよび第２ディスプレイの画面表示例を示す図である。
【図７】変更例１に係る操作入力の受付処理を示すフローチャートである。
【図８】変更例１に係るスリープモードが設定されたときの第１ディスプレイおよび第２ディスプレイの画面表示例を示す図である。
【図９】変更例２に係るスリープモード設定時に電話の着信の割り込みがあった場合の処理を示すフローチャートである。
【図１０】変更例２に係る第１の動作例の処理が実行されたときの画面表示例を示す図である。
【図１１】変更例２に係る第２の動作例の処理が実行されたときの画面表示例を示す図である。
【図１２】その他の変更例に係る操作入力の受付処理を示すフローチャートである。
【発明を実施するための形態】
【００１３】
以下、本発明の実施の形態について、図面を参照して説明する。
【００１４】
図１は、携帯電話機の構成を示す図（分解斜視図）である。携帯電話機は、第１キャビネット１と、第２キャビネット２と、これら第１、第２キャビネット１、２を保持する保持体３とで構成されている。
【００１５】
第１キャビネット１は、横長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００１６】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００１７】
第１タッチパネル１２は、マトリクス状に配された第１透明電極と第２透明電極とを備
えている。第１タッチパネル１２は、これら透明電極間の静電容量の変化を検出することによって、ユーザに触られたディスプレイ面上の位置を検出し、その位置に応じた位置信号を出力する。
【００１８】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００１９】
第２キャビネット２は、横長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００２０】
第２ディスプレイ２１の前面には、第２タッチパネル２２が配されている。第２タッチパネル２２の構成は、第１タッチパネル１２と同様である。
【００２１】
第２キャビネット２の内部には、後面近傍の中央位置に磁石２３が配されている。
この磁石２３と第１キャビネット１の磁石１４とは、後述の如く大画面を構成する位置に第１キャビネット１と第２キャビネット２が位置づけられた状態（開状態）にあるときに、互いに引き合うよう構成されている。なお、第１キャビネット１および第２キャビネット２において、一方の磁石の磁力が十分大きければ、他方の磁石を磁性体に代えてもよい。
【００２２】
第２キャビネット２内部において、右前角部には閉鎖センサ２４が配されており、右後角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが前後に並んだ状態になると、第１キャビネット１の磁石１５が、開放センサ２５に接近するので、開放センサ２５からＯＮ信号が出力される。
【００２３】
さらに、第２キャビネット２の右側面には２つの軸部２６が設けられており、左側面には２つの軸部２７が設けられている。
【００２４】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００２５】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００２６】
右保持部３２の上面にはマイク３５および電源キー３６が配されている。また、右保持部３２の外側面には、操作キー群３７が配されている。操作キー群３７は、たとえば、３つの操作キー３７ａ、３７ｂ、３７ｃからなる。マナーモードの設定など、一定の機能については、これら操作キーを操作することにより、タッチパネル１２、２２を操作することなく実行される。左保持部３３の上面には、通話スピーカ３８が配されている。ユーザは、左保持部３３側が耳元に、右保持部３２側が口元にくるように携帯電話機を持って、通話を行う。
【００２７】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００２８】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００２９】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００３０】
図２は、第２キャビネット２が閉じた状態から開いた状態へ切替えるための操作について説明するための図である。
【００３１】
初期の状態においては、同図（ａ）に示すように、第２キャビネット２が第１キャビネット１の背後に隠れた状態となっている。この状態（閉状態）においては、第１ディスプレイ１１のみが外部に露出している。切替えの操作は、ユーザによって手動で行われる。
【００３２】
まず、ユーザは、同図（ｂ）に示すように、第１キャビネット１を後方（矢印の方向）に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、第２キャビネット２が完全に開いた状態（開状態）になると、同図（ｄ）に示すように、第１キャビネット１と第２キャビネット２とが、前後に密着するように、且つ面一となるように並ぶ。第１ディスプレイ１１と第２ディスプレイ２１とが一体化され、大画面の状態となる。
【００３３】
図３は、携帯電話機の全体構成を示すブロック図である。本実施の形態の携帯電話機は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、外部スピーカ３０８、バッテリー３０９、電源部３１０を備えている。
【００３４】
カメラモジュール１３はＣＣＤ等の撮像素子を有する。カメラモジュール１３は、撮像素子から出力された撮像信号をデジタル化し、その撮像信号にガンマ補正等の各種補正を
施して映像エンコーダ３０１へ出力する。映像エンコーダ３０１は、カメラモジュール１３からの撮像信号にエンコード処理を施してＣＰＵ１００へ出力する。
【００３５】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００３６】
キー入力回路３０３は、電源キー３６や操作キー群３７の各キーが操作されたときに、各キーに応じた入力信号をＣＰＵ１００へ出力する。
【００３７】
通信モジュール３０４は、ＣＰＵ１００からの音声信号や画像信号、テキスト信号などの送信データを無線信号に変換し、アンテナ３０４ａを介して基地局へ送信する。また、アンテナ３０４ａを介して受信した無線信号を音声信号や画像信号、テキスト信号などの受信データに変換してＣＰＵ１００へ出力する。
【００３８】
バックライト駆動回路３０５は、ＣＰＵ１００からの制御信号に応じた電圧信号を第１バックライト１１ｂおよび第２バックライト２１ｂに供給する。第１バックライト１１ｂは、バックライト駆動回路３０５からの電圧信号により点灯し、第１液晶パネル１１ａを照明する。第２バックライト２１ｂは、バックライト駆動回路３０５からの電圧信号により点灯し、第２液晶パネル２１ａを照明する。
【００３９】
なお、第２バックライト２１ｂは閉状態から開き始めると点灯してもよいし、開状態になったとき、あるいは開状態になる前（たとえば、図２（ｃ）の状態）に点灯してもよい。
【００４０】
映像デコーダ３０６は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００４１】
音声デコーダ３０７は、ＣＰＵ１００からの音声信号にデコード処理を施し、さらにアナログの音声信号に変換して通話スピーカ３８に出力する。また、音声デコーダ３０７は、ＣＰＵ１００からの着信音、アラーム音等の各種報知音の音信号にデコード処理を施し、さらにアナログの音信号に変換して外部スピーカ３０８へ出力する。通話スピーカ３８は、音声デコーダ３０７からの音声信号を音声として再生する。外部スピーカ３０８は、音声デコーダ３０７からの着信音等を再生する。
【００４２】
バッテリー３０９は、ＣＰＵ１００やＣＰＵ１００以外の各部へ電力を供給するためのものであり、二次電池からなる。バッテリー３０９は電源部３１０に接続されている。
【００４３】
電源部３１０は、バッテリー３０９の電圧を各部に必要な大きさの電圧に変換して各部へ供給する。また、電源部３１０は、外部電源の入力部（図示せず）を介して供給された電力をバッテリー３０９へ供給して、バッテリー３０９を充電する。
【００４４】
メモリ２００は、ＲＯＭおよびＲＡＭを含む。メモリ２００には、ＣＰＵ１００に制御機能を付与するための制御プログラムが記憶されている。また、メモリ２００には、カメラモジュール１３で撮影した画像データや通信モジュール３０４を介して外部から取り込んだ画像データ、テキストデータ（メールデータ）などが所定のファイル形式で保存される。
【００４５】
ＣＰＵ１００は、キー入力回路３０３およびタッチパネル１２、２２からの操作入力信号に基づき、制御プログラムに従って、カメラモジュール１３、マイク３５、通信モジュール３０４、液晶パネル１１ａ、２１ａ、通話スピーカ３８、外部スピーカ３０８等を動作させる。これにより、通話機能、電子メール機能等の各種機能（アプリケーション）を実行する。
【００４６】
また、ＣＰＵ１００は、メモリ２００内に用意されたワークエリア内で、各ディスプレイ１１、２１に表示する表示画面を生成し、表示画面を構成するための映像信号を出力する。
【００４７】
図４は、第１ディスプレイ１１および第２ディスプレイ２１に表示される表示画面の一例を示す図である。
【００４８】
第２キャビネット２が閉じられているとき（閉状態）には、第１ディスプレイ１１に表示画面が表示される。たとえば、第１ディスプレイ１１には、初期画面としてメニュー画面が表示される。メニュー画面には、たとえば、図４（ａ）に示すように、各種のアプリケーションを実行するためのアイコンが表示される。アプリケーションは、あらかじめ登録されているアプリケーション以外にも、インターネットを通じたダウンロード等により入手可能であり、入手されたアプリケーションは、インストールにより携帯電話機に追加される。あらかじめ登録されたアプリケーションの個数が多かったり、アプリケーションが増えたりした場合には、それに対応するアイコンの全てが１つの表示画面で表示できない。この場合、図４（ｂ）に示すように、第２キャビネット２が開いて、第１ディスプレイ１１と第２ディスプレイ２１とによる表示状態になると、第１ディスプレイ１１に表示できなかったアイコンが、第２ディスプレイ２１に表示される。
【００４９】
ユーザは、各ディスプレイ１１、２１に表示された所望のアイコンを指などでタッチすることにより、各ディスプレイ１１、２１において、所望のアプリケーションを実行することができる。このとき、たとえば、第１ディスプレイ１１のアイコンを操作しようとした際、誤って第２ディスプレイ２１のアイコンに手などが触れ、不所望なアプリケーションが実行されてしまう惧れがある。
【００５０】
そこで、このような誤操作を防止するために、開状態となった第１ディスプレイ１１および第２ディスプレイ２１には、それぞれ、第１スリープキー４０および第２スリープキー４１がソフトキー（アイコン）として設けられている。これらスリープキー４０、４１は、たとえば、各ディスプレイ１１、２１のコーナー付近に表示される（ユーザの操作位置から見ると右手前の位置に表示される）。ユーザが、操作を行わないディスプレイのスリープキーを押すと、スリープモードに設定され、それ以降、そのディスプレイ（タッチパネル）に対する操作入力が受け付けられなくなる。また、このスリープキーは閉状態では表示されないようになっている。
【００５１】
図５は、ＣＰＵ１００による操作入力の受付処理を示すフローチャートである。また、図６は、スリープモードが設定されたときの第１ディスプレイ１１および第２ディスプレイ２１の画面表示例を示す図である。
【００５２】
図５を参照して、ＣＰＵ１００は、第１タッチパネル１２または第２タッチパネル２２がタッチされたか否かを検出する（Ｓ１０１）。どちらかのタッチパネルがタッチされると、ＣＰＵ１００は、そのタッチパネルからの位置信号に基づいて、第１スリープキー４０または第２スリープキー４１がタッチされたか否かを判定する（Ｓ１０２）。
【００５３】
ＣＰＵ１００は、第１スリープキー４０または第２スリープキー４１がタッチされたと判定すると（Ｓ１０２：ＹＥＳ）、タッチされたスリープキーが配されたディスプレイが現在スリープモード中であるか否かを判定する（Ｓ１０３）。そして、スリープモード中でなければ（Ｓ１０３：ＮＯ）、そのディスプレイ（タッチパネル）をスリープモードに設定する（Ｓ１０４）。さらに、ＣＰＵ１００は、そのディスプレイのバックライトに供給する電流を低減して、バックライトの輝度を低下させる（Ｓ１０５）。
【００５４】
一方、ＣＰＵ１００は、タッチされたスリープキーが配されたディスプレイが現在スリープモード中であれば（Ｓ１０３：ＹＥＳ）、そのディスプレイのスリープモードを解除し（Ｓ１０６）、そのディスプレイのバックライトの輝度を通常状態に戻す。（Ｓ１０７）。
【００５５】
通常の状態（スリープモードが解除された状態）から、ユーザによってスリープキー４０がタッチされると、図６（ａ）に示すように、第１ディスプレイ１１（第１タッチパネル１２）がスリープモードに設定される。同時に、第１ディスプレイ１１の輝度が低下し、表示が暗くなる。
【００５６】
一方、ユーザによってスリープキー４１がタッチされると、図６（ｂ）に示すように、第２ディスプレイ２１側がスリープモードに設定される。同時に、第２ディスプレイ２１の輝度が低下し、表示が暗くなる。
【００５７】
なお、輝度が低下した状態でも、ディスプレイの表示は消されず、アイコン等の画面表示はそのまま継続される。
【００５８】
さて、ＣＰＵ１００は、ステップＳ１０２で、タッチされたのがスリープキー４０、４１でないと判定すると（Ｓ１０２：ＮＯ）、アプリケーションを実行するためのアイコン等、ディスプレイ１１、２１に表示された操作対象がタッチされたか否かを判定する（Ｓ１０８）。そして、操作対象がタッチされたと判定すれば（Ｓ１０８：ＹＥＳ）、タッチされたディスプレイ側、即ちタッチパネル側のキャビネットがスリープモード中であるか否かを判定する（Ｓ１０９）。
【００５９】
スリープモード中のタッチパネルがタッチされた場合、ユーザにより誤ってタッチされたと考えられる。ＣＰＵ１００は、タッチされたタッチパネルがスリープモード中であれば（Ｓ１０９：ＹＥＳ）、タッチされた操作対象に対する操作入力の受付を禁止する（Ｓ１１０）。これにより、操作対象に基づく処理が実行されない。
【００６０】
なお、このように、スリープモード中のタッチパネルへのタッチが検出された場合、ＣＰＵ１００は、スリープモードでないディスプレイに、他方のディスプレイは操作の受け付けが禁止されている旨の表示を行ってもよい。また、このような表示とともに、あるいはこれに替えて、振動や音（ビープ音、アラーム音、音声等）により受け付け禁止の旨の報知が行われてもよい。このようにすれば、他方のディスプレイがスリープモード中であることを、ユーザが容易に認識できる。
【００６１】
一方、ＣＰＵ１００は、ステップＳ１０９で、タッチされたタッチパネルがスリープモード中でないと判定すると（Ｓ１０９：ＮＯ）、タッチされた操作対象に基づく処理を実行する（Ｓ１１１）。
【００６２】
以上説明したように、本実施の形態では、ユーザがスリープキー４０、４１をタッチして、操作入力を行わないディスプレイ（タッチパネル）をスリープモードに設定することにより、その後は、そのディスプレイ（タッチパネル）への操作入力が受け付けられなく
なる。よって、ユーザが、他方のディスプレイ（タッチパネル）を操作しようとした際に、そのスリープモード中のディスプレイ（タッチパネル）に誤って触れても、携帯電話機が誤作動しない。
【００６３】
このように、本実施の形態によれば、ユーザによる誤操作が抑制できるので、ユーザの利便性が向上する。
【００６４】
また、本実施の形態では、スリープモードに設定されたディスプレイの輝度を低下させるようにしているので、消費電力を低減することができる。よって、バッテリーの容量低下を抑えることでき、携帯電話機の使用時間を長くすることができる。また、このようにディスプレイの輝度を低下させることで、このディスプレイがスリープモード中であることをユーザに認識させることができる。
【００６５】
さらに、本実施の形態では、スリープキー４０、４１を、各ディスプレイ１１、２１上にソフトキーとして配したので、各ディスプレイ１１、１２とスリープキー４０、４１との対応付けが明確となり、スリープキー４０、４１の操作がしやすい。また、別途ハード的なスリープキーを、ディスプレイとの対応付けが明確となる場所に設ける必要がなく、構造が簡素になる。
【００６６】
＜変更例１＞
図７は、変更例１に係るＣＰＵ１００による操作入力の受付処理を示すフローチャートである。また、図８は、変更例１に係るスリープモードが設定されたときの第１ディスプレイ１１および第２ディスプレイ２１の画面表示例を示す図である。
【００６７】
上記実施の形態では、スリープキー４０、４１を、各ディスプレイ１１、２１上にソフトキーとして配するようにしている。これに対して、本変更例では、図８に示すように、第１キャビネット１における第１ディスプレイ１１の右側下部に第１スリープキー４２が配されている。同様に、第２キャビネット２における第２ディスプレイ２１の右側下部に第２スリープキー４３が配されている。これらスリープキー４２、４３は、対応するディスプレイの近傍に設けられている。このようにすれば、スリープキー４２、４３が、それぞれディスプレイ１１、２１に対応することが明確に分かるため、ユーザの操作性が良くなる。
【００６８】
次に、本変更例の構成に基づく、操作入力の受付処理について説明する。
【００６９】
図７を参照して、ＣＰＵ１００は、第１スリープキー４２または第２スリープキー４３が操作されたか否かを判定する（Ｓ２０１）。何れかのスリープキーが操作されると（Ｓ２０１：ＹＥＳ）、ＣＰＵ１００は、操作されたスリープキーに対応するディスプレイが現在スリープモード中であるか否かを判定する（Ｓ２０２）。
【００７０】
ＣＰＵ１００は、そのディスプレイがスリープモード中でないと判定すると、（２０２：ＮＯ）、そのディスプレイ（タッチパネル）をスリープモードに設定し（Ｓ２０３）、そのディスプレイのバックライトの輝度を低下させる（Ｓ２０４）。さらに、そのディスプレイに配されたタッチパネルをオフする（Ｓ２０５）。
【００７１】
一方、ＣＰＵ１００は、操作されたスリープキーに対応するディスプレイが現在スリープモード中であると判定すると（Ｓ２０２：ＹＥＳ）、そのディスプレイのスリープモードを解除し（Ｓ２０６）、そのディスプレイのバックライトの輝度を通常状態に戻す。（Ｓ２０７）。さらに、そのディスプレイに配されたタッチパネルをオンして、その機能を復帰させる（Ｓ２０８）。
【００７２】
通常の状態から、ユーザによってスリープキー４２が操作されると、図８（ａ）に示すように、第１ディスプレイ１１がスリープモードに設定される。同時に、第１ディスプレイ１１の輝度が低下し、表示が暗くなる。また、第１タッチパネル１２が機能しなくなる。
【００７３】
一方、ユーザによってスリープキー４３が操作されると、図８（ｂ）に示すように、第２ディスプレイ２１がスリープモードに設定される。同時に、第２ディスプレイ２１の輝度が低下し、表示が暗くなる。また、第２タッチパネル２２が機能しなくなる。
【００７４】
なお、輝度が低下した状態でも、ディスプレイの表示は消されず、アイコン等の画面表示はそのまま継続される。
【００７５】
さて、ＣＰＵ１００は、ステップＳ２０１で、スリープキー４２、４３が操作されていないと判定すると（Ｓ２０１：ＮＯ）、第１タッチパネル１２または第２タッチパネル２２がタッチされたか否かを検出する。このとき、どちらかのディスプレイがスリープモードに設定されていれば、それに対応するタッチパネルはオフしており、機能しないため、タッチパネルにタッチされても位置信号が出力されない。
【００７６】
ＣＰＵ１００は、オンしているタッチパネルがタッチされることにより、タッチを検出すると（Ｓ２０９：ＹＥＳ）、操作対象がタッチされたか否かを判定する（Ｓ２１０）。そして、操作対象がタッチされたと判定すれば（Ｓ２１０：ＹＥＳ）、その操作対象に基づく処理を実行する（Ｓ２１１）。
【００７７】
本変更例の構成とすれば、タッチパネル１２、２２上にスリープキーが設定されていないため、操作の対象とならないタッチパネルをオフすることができる。したがって、タッチパネルへの電力供給が必要なくなる分、さらに消費電力を低減することができ、携帯電話機の使用時間を長くすることができる。
【００７８】
なお、保持体３に設けた操作キー群３７の２つの操作キーをスリープキーとして兼用することもできる。たとえば、一番後方の操作キー３７ａが第１ディスプレイ１１に対するスリープキーとして兼用され、一番前方の操作キー３７ｃが第２ディスプレイ２１に対するスリープキーとして兼用される。この場合、スリープキーとして機能させるためには、２つの操作キー３７ａ、３７ｃが特殊操作される。たとえば、キーが数秒間継続して押される操作（いわゆる、長押し）等が行われる。
【００７９】
＜変更例２＞
図９は、変更例２に係るスリープモード設定時に電話の着信の割り込みがあった場合の処理を示すフローチャートである。図９（ａ）は、第１の動作例を示し、図９（ｂ）は第２の動作例を示す。また、図１０は、第１の動作例の処理が実行されたときの画面表示例を示す図であり、図１１は、第２の動作例の処理が実行されたときの画面表示例を示す図である。
【００８０】
これら第１の動作例および第２の動作例の処理は、ＣＰＵ１００により、上記図５および図７の受付処理と並行して実行される。
【００８１】
まず、図９（ａ）および図１０を参照して、第１の動作例の処理動作を説明する。第１の動作例は、電話の着信画面が、常に外部に露出する第１ディスプレイ１１に表示される構成を前提としている。
【００８２】
ＣＰＵ１００は、電話の着信があったか否かを監視する（Ｓ３０１）。そして、電話の着信があれば（Ｓ３０１：ＹＥＳ）、第１ディスプレイ１１がスリープモード中であるか否かを判定する（Ｓ３０２）。
【００８３】
図１０（ａ）に示すように、第１ディスプレイ１１がスリープモード中であるときに電話の着信があれば（Ｓ３０２：ＹＥＳ）、ＣＰＵ１００は、スリープモードを解除した上で（Ｓ３０３）、第１ディスプレイ１１に着信画面を表示させる（Ｓ３０４）。
【００８４】
図１０（ｂ）に示すように、着信画面には、発信元の情報（発信者の氏名、写真、電話番号等）が表示されるとともに、通話を開始するオフフックキー４５と、通話を終了するオンフックキー４６がソフトキーとして配される。このとき、第１ディスプレイ１１のスリープモードは既に解除されているため、オフフックキー４５およびオンフックキー４６の操作が、ＣＰＵ１００に受付可能となる。
【００８５】
したがって、ユーザは、電話の着信があったとき、スリープキー４０を操作することなく、直ちにオフフックキー４５を操作して電話を取ることができる。
【００８６】
次に、図９（ｂ）および図１１を参照して、第２の動作例の処理動作を説明する。この動作例は、電話の着信画面が、原則、第１ディスプレイ１１に表示される構成を前提としている。
【００８７】
ＣＰＵ１００は、電話の着信があったか否かを監視する（Ｓ３１１）。そして、電話の着信があれば（Ｓ３１１：ＹＥＳ）、第１ディスプレイ１１がスリープモード中であるか否かを判定する（Ｓ３１２）。
【００８８】
図１１（ａ）に示すように、第１ディスプレイ１１がスリープモード中であり、第２ディスプレイ２１がスリープモード中でないときに電話の着信があれば、ＣＰＵ１００は、第１ディスプレイ１１がスリープモード中であると判定し（Ｓ３１２：ＹＥＳ）、図１１（ｂ）に示すように、第２ディスプレイ２１に着信画面を表示させる（Ｓ３１３）。
【００８９】
一方、図１１（ｃ）に示すように、第２ディスプレイ２１がスリープモード中であり、第１ディスプレイ１１がスリープモード中でないときに電話の着信があれば、ＣＰＵ１００は、第１ディスプレイ１１がスリープモード中でないと判定し（Ｓ３１２：ＮＯ）、図１１（ｄ）に示すように、第１ディスプレイ１１に着信画面を表示させる（Ｓ３１４）。
【００９０】
なお、双方のディスプレイ１１、２１がスリープモード中でない場合には、第１ディスプレイ１１に着信画面が表示される。
【００９１】
また、双方のディスプレイ１１、２１がスリープ中である場合には、どちらかのディスプレイのスリープモードを解除した上で、そのディスディスプレイに着信画面を表示させることが望ましい。
【００９２】
このように第２の動作例のようにしても、ユーザは、電話の着信があったときに、素早く電話を取ることができる。
【００９３】
なお、本変更例では、電話の着信があった場合について説明したが、その他の割り込み処理があった場合にも、図９と同様な処理により、その割り込み処理に関する画面が表示される構成とすることができる。たとえば、会議などの時刻をアラーム設定した場合に、その時刻になるとアラーム報知の割り込みがあり、アラームとともに会議の内容等を示す報知画面が表示されるような構成とすることもできる。この場合、その報知画面に関する
キー、たとえば、会議の詳細な内容を表示させるためのキーが画面上にソフトキーとして配され、そのキーが即時操作可能となる。
【００９４】
＜その他＞
上記実施の形態では、第１ディスプレイ１１および第ディスプレイ２１にスリープキー４０、４１を配するようにしている。しかし、このようにディスプレイ１１、２１上にソフトキー（アイコン）を配するのではなく、たとえば、ディスプレイ１１、２１、即ちタッチパネル１２、２２が特殊な態様でタッチされたこと（たとえば、短時間に３回あるいはそれ以上タッチされる、数秒間タッチされ続ける等）を検出すると、スリープモードを設定あるいは解除するような構成としてもよい。
【００９５】
また、各キャビネット１，２に、ソフトキーであるスリープキー４０、４１とハードキーであるスリープキー４２、４３の双方を配し、スリープキー４０、４１がタッチされると、スリープモードに設定され、スリープキー４２、４３が操作されると、スリープモードが解除されるような構成としてもよい。この場合、スリープモードに設定されると、対象となるタッチパネルがオフされる。このように、スリープキー４２、４３を解除操作のみに用いるようにしても、タッチパネル１１、２２をオフすることが可能となるので、消費電力の低減が可能となる。
【００９６】
さらに、変更例１では、一度、スリープキー４２、４３が操作されると、スリープモードが設定され、もう一度、スリープキー４２、４３が操作されると、スリープモードが解除される構成としている。しかしながら、図１２のフローチャートのように、スリープキーが押されている間だけスリープモードに設定されるような構成としてもよい。
【００９７】
即ち、図１２に示すように、ＣＰＵ１００は、スリープキーが押下中であれば（Ｓ２２１：ＹＥＳ）、対応するディスプレイをスリープモードが設定された状態とするとともに（Ｓ２２２）、そのバックライトを低輝度で点灯させる（Ｓ２２３）。そして、対応するタッチパネルをオフの状態にする（Ｓ２２４）。
【００９８】
一方、ＣＰＵ１００は、スリープキーが押下されていなければ、あるいはスリーキーの押下が解かれれば（Ｓ２２１：ＮＯ）、対応するディスプレイをスリープモードが解除された状態とし（Ｓ２２５）、そのバクライトを通常輝度で点灯させる（Ｓ２２６）。そして、対応するタッチパネルをオンの状態にする（Ｓ２２７）。
【００９９】
次に、ＣＰＵ１００は、スリープモード中でないタッチパネルへのタッチを検出すると（Ｓ２２８：ＹＥＳ）、それがアイコン等、操作対象であれば（Ｓ２２９：ＹＥＳ）、その操作対象に基づく処理を実行する（Ｓ２３０）。
【０１００】
このような構成としても、変更例１と同様、消費電力の低減を図ることができる。
【０１０１】
また、上記実施の形態では、第１ディスプレイ１１に配したスリープキー４０がタッチされると、第１ディスプレイ１１がスリープモードに設定あるいは解除され、第２ディスプレイ２１に配したスリープキー４１がタッチされると、第２ディスプレイ２１がスリープモードに設定あるいは解除される構成とした。しかし、第１ディスプレイ１１に配したスリープキー４０がタッチされると、反対側の第２ディスプレイ２１がスリープモードに設定あるいは解除され、第２ディスプレイ２１に配したスリープキー４１がタッチされると、反対側の第１ディスプレイ１１がスリープモードに設定あるいは解除される構成としてもよい。この場合、スリープモードに設定されたディスプレイ側のタッチパネルはオフできるので、消費電力の低減が可能となる。
【０１０２】
さらに、本実施の形態では、静電容量式のタッチパネルを用いたが、これに限らず、抵抗膜方式、感圧式等のタッチパネルを用いてもよい。ただし、静電容量式のタッチパネルを用いた場合には、その感度が高いと、パネルに接触しなくてもパネル面近傍に指などがあるだけで検出がなされ得るので、誤操作が発生しやすい。よって、静電容式のタッチパネルを用いた場合には、本発明を適用する意義がより大きなものとなる。
【０１０３】
さらに、本発明の第１および第２の検出部は、タッチパネルに限られるものではない。たとえば、タッチパネルに替えて、表示部に触れなくても、表示部に表示されたアイコン等の操作対象を電波や映像により検出するようなセンサを用いることができる。
【０１０４】
また、上記実施の形態では、第１ディスプレイ１１と第２ディスプレイ２１にアイコンが表示された場合が例示されたが、各ディスプレイにはどのような画面が表示されていても良い。たとえば、第１ディスプレイ１１に電子メール用の画面が表示され、第２ディスプレイ２１には動画が表示されている場合や、両方のディスプレイに異なるアプリケーションの画面が表示されている場合にも、本発明を適用可能である。
【０１０５】
さらに、上記実施の形態では、第１ディスプレイ１１と第２ディスプレイ２１とが上下に並ぶように構成されているが、これらディスプレイが左右に並ぶように構成されてもよい。
【０１０６】
さらに、上記実施の形態では、いわゆるスライド式の携帯電話機に本発明が適用されている。しかしながら、これに限らず、いわゆる折り畳み式の携帯電話機に本発明が適用されてもよい。
【０１０７】
さらに、本発明の携帯端末装置は、携帯電話機に限られず、ＰＤＡ（Personal Digital
Assistant）等であってもよい。
【０１０８】
この他、本発明の実施の形態は、特許請求の範囲に示された技術的思想の範囲内において、適宜、種々の変更が可能である。
【符号の説明】
【０１０９】
１１  第１ディスプレイ（表示部）
２１  第２ディスプレイ（表示部）
１２  第１タッチパネル（検出部）
２２  第２タッチパネル（検出部）
４２  第１スリープキー（操作部）
４３  第２スリープキー（操作部）
１００  ＣＰＵ（制御処理部）
【図１】
2014045517.tif 000003
【図２】
2014045517.tif 000004
【図３】
2014045517.tif 000005
【図４】
2014045517.tif 000006
【図５】
2014045517.tif 000007
【図６】
2014045517.tif 000008
【図７】
2014045517.tif 000009
【図８】
2014045517.tif 000010
【図９】
2014045517.tif 000011
【図１０】
2014045517.tif 000012
【図１１】
2014045517.tif 000013
【図１２】
2014045517.tif 000014